(57)【要約】【課題】高精度で最適なコントラスト調整を画一的に実現する。【解決手段】本発明の液晶表示ディスプレイのコントラスト調整方法は、ＬＣＤモジュール３へ駆動電圧を供給するＬＣＤドライバ２に提供するコントラスト値を調整するＬＣＤモジュール３のコントラスト調整方法において、複数のコントラスト値Ｘ１、…、ＸｎをＬＣＤドライバ２に提供し、それぞれのコントラスト値Ｘ１、…、Ｘｎに基づいてＬＣＤドライバ２からＬＣＤモジュール３に対して供給される駆動電圧Ｙ１、…、Ｙｎを検知して、検知した駆動電圧Ｙ１、…、Ｙｎを対応するコントラスト値Ｘ１、…、Ｘｎで微分し、微分した値ｄＹ１／ｄＸ１、…、ｄＹｎ／ｄＸｎの絶対値が所定のしきい値以下となるコントラスト値を選択する。【選択図】図１
2007316555.tif 000002
【特許請求の範囲】
【請求項１】
液晶表示ディスプレイへ駆動電圧を供給する液晶表示ディスプレイ駆動部に提供するコントラスト値を調整する液晶表示ディスプレイのコントラスト調整方法において、
複数のコントラスト値を上記液晶表示ディスプレイ駆動部に提供し、それぞれのコントラスト値に基づいて上記液晶表示ディスプレイ駆動部から上記液晶表示ディスプレイに対して供給される駆動電圧を検知して、検知した駆動電圧を対応するコントラスト値で微分し、微分した値の絶対値が所定のしきい値以下となるコントラスト値を選択することを特徴とする液晶表示ディスプレイのコントラスト調整方法。
【請求項２】
上記選択するコントラスト値より小さいコントラスト値に基づいて供給されるそれぞれの駆動電圧を対応するコントラスト値で微分した値が、正または０となっており、かつ、
上記選択するコントラスト値より大きいコントラスト値に基づいて供給されるそれぞれの駆動電圧を対応するコントラスト値で微分した値が、負となっていることを特徴とする、請求項１に記載の液晶表示ディスプレイのコントラスト調整方法。
【請求項３】
上記選択するコントラスト値より小さいコントラスト値に基づいて供給されるそれぞれの駆動電圧を対応するコントラスト値で微分した値が、正となっており、かつ、
上記選択するコントラスト値より大きいコントラスト値に基づいて供給されるそれぞれの駆動電圧を対応するコントラスト値で微分した値が、負または０となっている、ことを特徴とする、請求項１に記載の液晶表示ディスプレイのコントラスト調整方法。
【請求項４】
上記複数のコントラスト値を、大きさの順に、上記液晶表示ディスプレイ駆動部に提供し、上記微分は、上記液晶表示ディスプレイ駆動部に提供したコントラスト値に基づいて供給されるそれぞれの駆動電圧を検知する度毎に順次検知した駆動電圧に対応するコントラスト値を用いて行うことを特徴とする請求項１から３のいずれか１項に記載の液晶表示ディスプレイのコントラスト調整方法。
【請求項５】
上記微分は、コントラスト値に基づいて供給されるそれぞれの駆動電圧を、全て検知した後に、検知した駆動電圧に対応するコントラスト値を用いて行うことを特徴とする請求項１から３のいずれか１項に記載の液晶表示ディスプレイのコントラスト調整方法。
【請求項６】
上記所定のしきい値が０であることを特徴とする請求項１から５のいずれか１項に記載の液晶表示ディスプレイのコントラスト調整方法。
【請求項７】
液晶表示ディスプレイへ駆動電圧を供給する液晶表示ディスプレイ駆動部に提供するコントラスト値を調整する液晶表示ディスプレイのコントラスト調整方法において、
複数のコントラスト値を上記液晶表示ディスプレイ駆動部に提供し、それぞれのコントラスト値に基づいて上記液晶表示ディスプレイ駆動部から上記液晶表示ディスプレイに対して供給される駆動電圧を検知して、検知した駆動電圧を対応するコントラスト値で微分し、微分した値の絶対値が最も小さいコントラスト値を選択することを特徴とする液晶表示ディスプレイのコントラスト調整方法。
【請求項８】
液晶表示ディスプレイへ駆動電圧を供給する液晶表示ディスプレイ駆動部に提供するコントラスト値を調整する液晶表示ディスプレイのコントラスト調整装置において、
複数のコントラスト値を記憶した記憶手段と、
該記憶手段に記憶されたそれぞれのコントラスト値に基づいて上記液晶表示ディスプレイ駆動部から上記液晶表示ディスプレイに対して順次供給される駆動電圧を対応するコントラスト値で微分する演算手段と、
該微分した値の絶対値が所定のしきい値以下となるかどうかを判定する判定手段と、を備えていることを特徴とする液晶表示ディスプレイのコントラスト調整装置。
【請求項９】
上記判定手段は、
上記所定のしきい値以下であると判定した微分した値に対応するコントラスト値より小さいコントラスト値に基づいて供給されるそれぞれの駆動電圧を対応するコントラスト値で微分した値、および、
上記所定のしきい値以下であると判定した微分した値に対応するコントラスト値より大きいコントラスト値に基づいて供給されるそれぞれの駆動電圧を対応するコントラスト値で微分した値の正負を判定することを特徴とする請求項８に記載の液晶表示ディスプレイのコントラスト調整装置。
【請求項１０】
上記所定のしきい値が０であることを特徴とする請求項８または９に記載の液晶表示ディスプレイのコントラスト調整装置。
【発明の詳細な説明】
【技術分野】
【０００１】
本発明は、Ｃ−ＳＴＮのようなコントラスト調整が必要な液晶表示ディスプレイのコントラスト調整方法、および、液晶表示ディスプレイのコントラスト調整装置に関するものである。
【背景技術】
【０００２】
従来、Ｃ−ＳＴＮのようなコントラスト調整が必要な液晶表示ディスプレイは、コントラスト調整装置を用いて、そのコントラスト調整が行われていた。
【０００３】
例えば、特許文献１に記載のコントラスト自動調整装置は、使用温度と駆動電圧とを対応付けた特性テーブルを有しており、外部から得られた温度データを元に駆動電圧を決定している。さらに、この駆動電圧を基に特性テーブルを修正している。
【０００４】
また、特許文献２に記載の液晶表示濃度の調整装置は、駆動電圧変化量および環境温度変化量を算出し、これらの変化量に基づいて、液晶表示濃度調整値を求め、この調整値に基づいてディスプレイ駆動部に格納されている表示濃度設定値を更新している。
【０００５】
さらに、特許文献３に記載のコントラスト調整回路は、調整用電圧発生手段と基準電圧発生手段とを有しており、基準電圧発生する基準電圧を、調整用電圧発生手段による変化量に応じて増減してこれを液晶表示装置の駆動電圧入力端に印加している。
【特許文献１】特開平６−２１４５２３号公報（平成６年８月５日  公開）
【特許文献２】特開平７−４３６７９号公報（平成７年２月１４日  公開）
【特許文献３】特開平７−１３５６２５号公報（平成７年５月２３日  公開）
【発明の開示】
【発明が解決しようとする課題】
【０００６】
しかしながら、上記の特許文献に記載された技術は、外部の温度や電源電圧の変化量に応じて電圧を設定している、つまり外的な変化に応じていちいちコントラスト調整を行っているため、最適なコントラスト調整を画一的に行うことができておらず、コントラスト調整にバラツキが生じ、精度を欠く、という問題があった。
【０００７】
本発明は、上記の問題点に鑑みてなされたものであり、その目的は、高精度で最適なコントラスト調整を画一的に実現することにある。
【課題を解決するための手段】
【０００８】
本発明の液晶表示ディスプレイのコントラスト調整方法は、上記課題を解決するために、液晶表示ディスプレイへ駆動電圧を供給する液晶表示ディスプレイ駆動部に提供するコントラスト値を調整する液晶表示ディスプレイのコントラスト調整方法において、複数のコントラスト値を上記液晶表示ディスプレイ駆動部に提供し、それぞれのコントラスト値に基づいて上記液晶表示ディスプレイ駆動部から上記液晶表示ディスプレイに対して供給される駆動電圧を検知して、検知した駆動電圧を対応するコントラスト値で微分し、微分した値の絶対値が所定のしきい値以下となるコントラスト値を選択することを特徴としている。
【０００９】
液晶表示ディスプレイ駆動部は、提供されるコントラスト値の大きさに応じた駆動電圧を液晶表示ディスプレイに供給するようになっており、駆動電圧を最大にするコントラスト値を最適なコントラスト値として選択することが望ましいとされている。
【００１０】
これに対して、上記構成によれば、複数のコントラスト値を液晶表示ディスプレイ駆動部に提供して、それぞれのコントラスト値に基づいて液晶表示ディスプレイ駆動部から液晶表示ディスプレイに対して供給される駆動電圧を検知し、さらに、検知した駆動電圧を対応するコントラスト値で微分し、微分した値の絶対値が所定のしきい値以下となるコントラスト値を選択している。
【００１１】
駆動電圧をコントラスト値で微分した値が小さければ小さいほど、駆動電圧−コントラスト値を示すグラフの傾きが小さくなるため、駆動電圧がより大きくなる。従って、予めあるしきい値を決めておき、傾き（微分した値）がこのしきい値以下となるコントラスト値を選択すれば、より大きな駆動電圧を得ることができ、バラツキを抑えてコントラストの最適化を行うことができる。また、本発明では、液晶表示ディスプレイ駆動部の特性に応じて最適なコントラスト値を決定することができるため、一旦決定した最適コントラスト値をその後に変更することがなく、常に最適なコントラスト調整を行うことができる。さらに、コントラスト調整の作業コストを減少させることができると共に、作業時間が短縮され１日あたりの生産数量をアップさせることができる。
【００１２】
また、本発明の液晶表示ディスプレイのコントラスト調整方法では、上記選択するコントラスト値より小さいコントラスト値に基づいて供給されるそれぞれの駆動電圧を対応するコントラスト値で微分した値が、正または０となっており、かつ、上記選択するコントラスト値より大きいコントラスト値に基づいて供給されるそれぞれの駆動電圧を対応するコントラスト値で微分した値が、負となっていることが好ましい。
【００１３】
上記構成によれば、上記選択するコントラスト値より小さいコントラスト値に基づいて供給されるそれぞれの駆動電圧を対応するコントラスト値で微分した値が、正または０となり、かつ、上記選択するコントラスト値より大きいコントラスト値に基づいて供給されるそれぞれの駆動電圧を対応するコントラスト値で微分した値が、負となる、コントラスト値を選択している。つまり、前後のコントラスト値を用いて微分した値が正（または０）から負へと変化するコントラスト値を選択している。従って、コントラスト値を用いて微分した値が正から正とへ変化しているにも関わらずたまたま微分した値が所定のしきい値以下となる場合に対応するコントラスト値を選択することを排除することができる。従って、確実に駆動電圧が最大となる場合のコントラスト値を選択することができる。
【００１４】
また、本発明の液晶表示ディスプレイのコントラスト調整方法では、上記選択するコントラスト値より小さいコントラスト値に基づいて供給されるそれぞれの駆動電圧を対応するコントラスト値で微分した値が、正となっており、かつ、上記選択するコントラスト値より大きいコントラスト値に基づいて供給されるそれぞれの駆動電圧を対応するコントラスト値で微分した値が、負または０となっていることが好ましい。
【００１５】
上記構成によれば、所定のしきい値以下となるコントラスト値が複数ある場合に、これらのコントラスト値のうち、該コントラスト値より小さいコントラスト値に基づいて供給されるそれぞれの駆動電圧を対応するコントラスト値で微分した値が、正となり、かつ、上記コントラスト値より大きいコントラスト値に基づいて供給されるそれぞれの駆動電圧を対応するコントラスト値で微分した値が、負または０となる、コントラスト値を選択している。つまり、前後のコントラスト値を用いて微分した値が正から負または０へと変化するコントラスト値を選択している。従って、コントラスト値を用いて微分した値が正から正とへ変化しているにも関わらずたまたま微分した値が所定のしきい値以下となる場合に対応するコントラスト値を選択することを排除することができる。従って、確実に駆動電圧が最大となる場合のコントラスト値を選択することができる。
【００１６】
また、本発明の液晶表示ディスプレイのコントラスト調整方法では、上記複数のコントラスト値を、大きさの順に、上記液晶表示ディスプレイ駆動部に提供し、上記微分は、上記液晶表示ディスプレイ駆動部に提供したコントラスト値に基づいて供給されるそれぞれの駆動電圧を検知する度毎に順次検知した駆動電圧に対応するコントラスト値を用いて行うことが好ましい。
【００１７】
上記構成によれば、上記複数のコントラスト値を、大きさの順に、液晶表示ディスプレイ駆動部に提供し、上記微分は、上記液晶表示ディスプレイ駆動部に提供したコントラスト値に基づいて供給されるそれぞれの駆動電圧を検知する度毎に順次検知した駆動電圧に対応するコントラスト値を用いて行っている。つまり、全ての駆動電圧を検知した後に微分値を求めるのではなく、検知した駆動電圧から順次該駆動電圧に対応するコントラスト値を用いて微分を行っている。それゆえ、より迅速にコントラスト値の選択を行うことができる。
【００１８】
また、本発明の液晶表示ディスプレイのコントラスト調整方法では、上記微分は、コントラスト値に基づいて供給されるそれぞれの駆動電圧を、全て検知した後に、検知した駆動電圧に対応するコントラスト値を用いて行ってもよい。
【００１９】
上記構成によれば、上記微分を、コントラスト値に基づいて供給される駆動電圧を、全て検知した後に、検知した駆動電圧に対応するコントラスト値で行っている。従って、微分した値同士を比較することができるため、駆動電圧が高くないにも関わらず、たまたま微分した値が所定のしきい値より小さくなるコントラスト値を途中段階で選択してしまう、という可能性を無くすことができる。
【００２０】
また、本発明の液晶表示ディスプレイのコントラスト調整方法では、上記所定のしきい値が０であることが好ましい。上記構成によれば、所定のしきい値が０であるため、選択されるコントラスト値により微分された値が０となる。そのため、より画一的にコントラスト値を選択することができると共に、常に最大となる駆動電圧を供給させることができる。
【００２１】
また、本発明の液晶表示ディスプレイのコントラスト調整方法は、上記課題を解決するために、液晶表示ディスプレイへ駆動電圧を供給する液晶表示ディスプレイ駆動部に提供するコントラスト値を調整する液晶表示ディスプレイのコントラスト調整方法において、複数のコントラスト値を上記液晶表示ディスプレイ駆動部に提供し、それぞれのコントラスト値に基づいて上記液晶表示ディスプレイ駆動部から上記液晶表示ディスプレイに対して供給される駆動電圧を検知して、検知した駆動電圧を対応するコントラスト値で微分し、微分した値の絶対値が最も小さいコントラスト値を選択することを特徴としている。
【００２２】
液晶表示ディスプレイ駆動部は、提供されるコントラスト値の大きさに応じた駆動電圧を液晶表示ディスプレイに供給するようになっており、駆動電圧を最大にするコントラスト値を最適なコントラスト値として選択することが望ましいとされている。
【００２３】
これに対して、上記構成によれば、複数のコントラスト値を液晶表示ディスプレイ駆動部に提供し、これらのコントラスト値に基づいて上記液晶表示ディスプレイ駆動部から液晶表示ディスプレイに対して供給されるそれぞれの駆動電圧を検知して、検知した駆動電圧を対応するコントラスト値で微分し、微分した値の絶対値が最も小さいコントラスト値を選択している。
【００２４】
駆動電圧をコントラスト値で微分した値が小さければ小さいほど、駆動電圧−コントラスト値を示すグラフの傾きが小さくなるため、駆動電圧がより大きくなる。従って、傾き（微分した値）の絶対値が最も小さくなるコントラスト値を選択すれば、より大きな駆動電圧を得ることができ、バラツキを抑えてコントラストの最適化を図ることができる。さらに、コントラスト調整の作業コストを減少させることができると共に、作業時間が短縮され１日あたりの生産数量をアップさせることができる。
【００２５】
また、本発明の液晶表示ディスプレイのコントラスト調整装置は、上記課題を解決するために、液晶表示ディスプレイへ駆動電圧を供給する液晶表示ディスプレイ駆動部に提供するコントラスト値を調整する液晶表示ディスプレイのコントラスト調整装置において、複数のコントラスト値を記憶した記憶手段と、該記憶手段に記憶されたそれぞれのコントラスト値に基づいて上記液晶表示ディスプレイ駆動部から上記液晶表示ディスプレイに対して順次供給される駆動電圧を対応するコントラスト値で微分する演算手段と、該微分した値の絶対値が所定のしきい値以下となるかどうかを判定する判定手段と、を備えていることを特徴としている。
【００２６】
上記構成によれば、本発明のコントラスト調整装置は、複数のコントラスト値を記憶した記憶手段と、該記憶手段に記憶されたそれぞれのコントラスト値に基づいて上記液晶表示ディスプレイ駆動部から液晶表示ディスプレイに対して順次供給されるそれぞれの駆動電圧を対応する上記コントラスト値にて微分する演算手段と、上記微分した値の絶対値が所定のしきい値以下となるかどうかを判定する判定手段と、を備えている。従って、駆動電圧を記憶手段に記憶させておいたコントラスト値で微分した値を演算手段にて求め、この値が所定のしきい値以下であるかどうかを判定手段にて判定している。駆動電圧をコントラスト値で微分した値が小さければ小さいほど、駆動電圧−コントラスト値を示すグラフの傾きが小さくなるため、駆動電圧がより大きくなる。従って、微分した値の絶対値が最も小さくなるコントラスト値を選択すれば、より大きな駆動電圧を得ることができ、バラツキを抑えてコントラストの最適化を図ることができる。さらに、コントラスト調整の作業コストを減少させることができると共に、作業時間が短縮され１日あたりの生産数量をアップさせることができる。
【００２７】
また、本発明の液晶表示ディスプレイのコントラスト調整装置では、上記判定手段は、上記所定のしきい値以下であると判定した微分した値に対応するコントラスト値より小さいコントラスト値に基づいて供給されるそれぞれの駆動電圧を対応するコントラスト値で微分した値、および、上記所定のしきい値以下であると判定した微分した値に対応するコントラスト値より大きいコントラスト値に基づいて供給されるそれぞれの駆動電圧を対応するコントラスト値で微分した値の正負を判定している。そのため、コントラスト値を用いて微分した値が正から正とへ変化しているにも関わらずたまたま微分した値が所定のしきい値以下となる場合のコントラスト値を選択することを排除することができる。従って、確実に駆動電圧が最大となる場合のコントラスト値を選択することができる。
【００２８】
また、本発明の液晶表示ディスプレイのコントラスト調整装置では、上記所定のしきい値が０であることことが好ましい。上記構成によれば、しきい値が０であるため、選択されるコントラスト値により微分された値が０となる。そのため、より画一的にコントラスト値を選択することができると共に、常に最大となる駆動電圧を供給させることができる。
【発明の効果】
【００２９】
本発明の液晶表示ディスプレイのコントラスト調整方法は、以上のように、複数のコントラスト値を上記液晶表示ディスプレイ駆動部に提供し、それぞれのコントラスト値に基づいて上記液晶表示ディスプレイ駆動部から上記液晶表示ディスプレイに対して供給される駆動電圧を検知して、検知した駆動電圧を対応するコントラスト値で微分し、微分した値の絶対値が所定のしきい値以下となるコントラスト値を選択している。
【００３０】
また、本発明の液晶表示ディスプレイのコントラスト調整方法は、以上のように、複数のコントラスト値を上記液晶表示ディスプレイ駆動部に提供し、それぞれのコントラスト値に基づいて上記液晶表示ディスプレイ駆動部から上記液晶表示ディスプレイに対して供給される駆動電圧を検知して、検知した駆動電圧を対応するコントラスト値で微分し、微分した値の絶対値が最も小さいコントラスト値を選択している。
【００３１】
また、本発明の液晶表示ディスプレイのコントラスト調整装置は、以上のように、複数のコントラスト値を記憶した記憶手段と、該記憶手段に記憶されたそれぞれのコントラスト値に基づいて上記液晶表示ディスプレイ駆動部から上記液晶表示ディスプレイに対して順次供給される駆動電圧を対応するコントラスト値で微分する演算手段と、該微分した値の絶対値が所定のしきい値以下となるかどうかを判定する判定手段と、を備えている。
【００３２】
従って、高精度で最適なコントラスト調整を画一的に行うことができる、液晶表示ディスプレイのコントラスト調整方法および液晶表示ディスプレイのコントラスト調整装置を提供することができる、という効果を奏する。
【発明を実施するための最良の形態】
【００３３】
本発明の一実施の形態について、図１を用いて説明する。
【００３４】
液晶表示ディスプレイのコントラスト調整装置（以下、「調整装置」と称する）１は、コントラスト値を最適な値に調整することにより、このコントラスト値に応じて決まるＬＣＤドライバ（液晶表示ディスプレイ駆動部）２からＬＣＤモジュール（液晶表示ディスプレイ）３に供給される印加電圧（駆動電圧）の値を最適にする役割を有しており、その調整方法および構成に特徴を有している。
【００３５】
調整装置１は、ＳＴＮの駆動方式や、その他の単純マトリクス駆動方式などのように、コントラスト（濃度）調整が必要な液晶表示ディスプレイに用いる装置である。調整装置１の周辺には、図１に示すように、各種ペリフェラル４…が設けられている。これらの各種ペリフェラル４…は、調整装置１を動作させるための周辺機器である。
【００３６】
ＬＣＤモジュール３は、図示しないが、主に、２枚のガラス基板と、これらのガラス基板間に封入された液晶と、液晶とガラス基板との界面に設けられた配向膜と、を有する液晶表示パネルを備えている。
【００３７】
ＬＣＤドライバ２は、後述するＣＰＵ５から指示されたコントラスト値に応じた印加電圧を後段のＬＣＤモジュール３に供給する。供給されたこの印加電圧によりＬＣＤモジュール３に配された液晶の配向状態が制御されることにより、液晶表示のコントラストが制御される。
【００３８】
〔コントラスト調整装置の構成について〕
調整装置１は、図１に示すように、ＣＰＵ５、メモリ６、電圧検出部７、およびコントラスト調整部８を有している。これら調整装置１の構成要素のうち、特に、コントラスト調整部８が本発明の最重要部分である。
【００３９】
ＣＰＵ５は、コントラスト調整部８から受け取ったコントラスト値を示す情報に応じた印加電圧を、ＬＣＤドライバ２がＬＣＤモジュール３へ供給するように制御すると共に、調整装置１の周りに配された各種ペリフェラル４…を制御する。メモリ６は、調整装置１のコントラスト調整部８により最適な値として決定されたコントラスト値（後述）を格納する役割を有する。電圧検出部７は、ＬＣＤドライバ２からＬＣＤモジュール３に供給される印加電圧を検出し、検出した印加電圧をコントラスト調整部８へ送る。
【００４０】
コントラスト調整部８は、図１に示すように、記憶部（記憶手段）９、送受信部１０、演算部（演算手段）１１、および判定部（判定手段）１２を備えている。
【００４１】
記憶部９には、複数のコントラスト値（Ｘ１、Ｘ２、…、Ｘｎ；Ｘ１＜Ｘ２＜…＜Ｘｎ；コントラストＶＲ値ともいう）が格納されている。このように、記憶部９に格納されているコントラスト値Ｘ１、Ｘ２、…、Ｘｎには、それぞれその大きさに応じて１〜ｎの番号が割り当てられている。さらに、記憶部９には、演算部１１にて演算された後述する微分値も格納されるようになっている。
【００４２】
送受信部１０は、記憶部９に格納されている、コントラスト値Ｘ１、Ｘ２、…、Ｘｎを、Ｘ１からＸ２、Ｘ３、…と、順次、ＣＰＵ５および演算部１１に対して送る。送受信部１０は、ＣＰＵ５に対して送信したコントラスト値によって、ＬＣＤドライバ２からＬＣＤモジュール３に供給される印加電圧を、電圧検出部７を介して受け取り、受け取った印加電圧を演算部１１に送る。
【００４３】
演算部１１は、コントラスト値、および、該コントラスト値によってＬＣＤドライバ２からＬＣＤモジュール３に供給される印加電圧を、送受信部１０から受け取り、該印加電圧を対応するコントラスト値で微分する。演算部１１は、さらに、この微分した値（微分値）を記憶部９に送り、元々記憶部９に格納されているコントラスト値（対応するコントラスト値）に、微分値を対応付けて記憶部９に格納する。
【００４４】
判定部１２は、演算部１１によって記憶部９に格納された微分値のうち、０となる微分値（または、あるしきい値以下となる微分値）を検索し、この微分値に対応するコントラスト値を選択する。判定部１２は、この選択したコントラスト値を送受信部１０に送る。さらに、後述するように、判定部１２は、微分値の正負を判定する役割を有している。
【００４５】
送受信部１０は、このコントラスト値を最適なコントラスト値（最適コントラスト値）としてこのコントラスト値の情報を、ＣＰＵ５に送る。ＣＰＵ５は、この最適コントラスト値の情報をメモリ６に格納し、以後、この最適コントラスト値を用いて、ＬＣＤドライバ２を駆動させてＬＣＤモジュール３に対して電圧を印加させる。
【００４６】
〔コントラスト調整装置の動作について〕
次に、この調整装置１の動作について、図２および図３のフローチャートを参照しながら、より具体的に説明する。なお、以下に説明する動作は、あくまで一例であり、本発明にはその他のバリエーションが多数含まれる。そのため、とりあえず一例について説明し、その他のバリエーションについては、その後に説明する。
【００４７】
まず、送受信部１０が、記憶部９に格納されているコントラスト値Ｘ１、Ｘ２、…、Ｘｎのうち、最小のコントラスト値であるコントラスト値Ｘ１を記憶部９から取り出し、ＣＰＵ５へ送る。このとき、送受信部１０は、このコントラスト値Ｘ１を演算部１１にも送る。ＣＰＵ５は、このコントラスト値Ｘ１に対応する印加電圧をＬＣＤモジュール３に対して供給するように、ＬＣＤドライバ２に指示する。
【００４８】
ＬＣＤドライバ２は、指示されたコントラスト値Ｘ１に応じた印加電圧Ｙ１をＬＣＤモジュール３に供給する。電圧検出部７は、ＬＣＤドライバ２からＬＣＤモジュール３に供給される印加電圧Ｙ１を検出し、この印加電圧Ｙ１を送受信部１０に送る。送受信部１０は、この印加電圧Ｙ１を演算部１１に送る。演算部１１は、印加電圧Ｙ１を上記の予め送受信部１０から受け取ったコントラスト値Ｘ１で微分し、この微分値（微分した値）ｄＹ１／ｄＸ１を、コントラスト値Ｘ１に対応付けて、記憶部９に格納する。
【００４９】
なお、上記では、演算部１１が微分に用いるコントラスト値Ｘ１を送受信部１０から受け取るとしたが、これに限らず、演算部１１自身がコントラスト値Ｘ１を記憶部９から取り出してもよい。
【００５０】
以上の動作を、例えば、コントラスト値Ｘ２〜Ｘ６についても同様に行い（Ｓ１）、これらコントラスト値Ｘ２、…、Ｘ６とその微分値ｄＹ２／ｄＸ２、…、ｄＹ６／ｄＸ６とを対応付けて、記憶部９に記憶する。
【００５１】
次に、判定部１２は、コントラスト値Ｘ３に対応した微分値ｄＹ３／ｄＸ３が、ｄＹ３／ｄＸ３＝０となるかどうかを判定する（Ｓ２）。なお、コントラスト値Ｘ１およびコントラスト値Ｘ２に対応した微分値ｄＹ１／ｄＹ１およびｄＹ２／ｄＹ２についても０となるかどうか判定してもよく、もし０となっていれば、０となる微分値に対応するコントラスト値を最適コントラスト値として、動作を終了する。
【００５２】
ｄＹ３／ｄＸ３＝０となる場合、判定部１２は、さらに、ｄＹ０／ｄＸ０、ｄＹ１／ｄＸ１、およびｄＹ２／ｄＸ２が０より大きいかどうか、ｄＹ４／ｄＸ４、ｄＹ５／ｄＸ５、およびｄＹ６／ｄＸ６が０以下となるかどうかを判定する（Ｓ３、Ｓ４；つまり、判定部１２は、微分値の正負を判定する）。つまり、Ｎ＝３とした場合に、ｄＹｎ／ｄＸｎ＞０（Ｎ−３≦ｎ≦Ｎ−１）となるかどうか、および、ｄＹｍ／ｄＸｍ≦０（Ｎ＋１≦ｍ≦Ｎ＋３）となるかどうか、を判定する。
【００５３】
ｄＹ０／ｄＸ０、ｄＹ１／ｄＸ１、およびｄＹ２／ｄＸ２が０より大きく（Ｓ３でＹＥＳ）、かつ、ｄＹ４／ｄＸ４、ｄＹ５／ｄＸ５、およびｄＹ６／ｄＸ６が０以下である場合（Ｓ４でＹＥＳの場合）には、判定部１２は、コントラスト値Ｘ３を最適コントラスト値として選択し（決定し；Ｓ５）、その動作を終了する。
【００５４】
次に、(i) 上記の微分値ｄＹ３／ｄＸ３が０とならない場合（Ｓ２でＮＯの場合）、(ii) 微分値ｄＹ０／ｄＸ０、ｄＹ１／ｄＸ１、およびｄＹ２／ｄＸ２が０以下である場合（Ｓ３でＮＯの場合）、または、(iii) 微分値ｄＹ４／ｄＸ４、ｄＹ５／ｄＸ５、およびｄＹ６／ｄＸ６が０より大きい場合（Ｓ４でＮＯの場合）には、次のコントラスト値の微分を行う（Ｓ６）。このＳ６のステップについて、図３に示すフローチャートを用いて説明する。なお、図３は、図２に示すフローチャートのステップ（次のコントラスト値の微分）Ｓ６のサブルーチンとなっている。
【００５５】
図３に示すように、さらに、コントラスト値Ｘ７についても、上記の動作を行い、コントラスト値Ｘ７と、その微分値ｄＹ７／ｄＸ７とを対応付けて、記憶部９に記憶する（Ｓ７）。その後、判定部１２は、コントラスト値Ｘ４に対応した微分値ｄＹ４／ｄＸ４が、ｄＹ４／ｄＸ４＝０となるかどうかを判定する（Ｓ８）。
【００５６】
ｄＹ４／ｄＸ４＝０となる場合（Ｓ８でＹＥＳの場合）、判定部１２は、さらに、微分値ｄＹ１／ｄＸ１、ｄＹ２／ｄＸ２、およびｄＹ３／ｄＸ３が０より大きいかどうか（Ｓ９）、微分値ｄＹ５／ｄＸ５、ｄＹ６／ｄＸ６、およびｄＹ７／ｄＸ７が０以下となるかどうか（Ｓ１０）を判定する。すなわち、上記と同様に、Ｎ＝４とした場合、ｄＹｎ／ｄＸｎ＞０（Ｎ−３≦ｎ≦Ｎ−１）となるかどうか、およびｄＹｍ／ｄＸｍ≦０（Ｎ＋１≦ｍ≦Ｎ＋３）となるかどうか、を判定する。
【００５７】
微分値ｄＹ１／ｄＸ１、ｄＹ２／ｄＸ２、およびｄＹ３／ｄＸ３が０より大きく（Ｓ９でＹＥＳ）、かつ、微分値ｄＹ５／ｄＸ５、ｄＹ６／ｄＸ６、およびｄＹ７／ｄＸ７が０以下である場合（Ｓ１０でＹＥＳの場合）には、判定部１２は、コントラスト値Ｘ４を最適コントラスト値として選択し（Ｓ１１）、動作を終了する。
【００５８】
もし、(iv) 上記の微分値ｄＹ４／ｄＸ４が０とならない場合（Ｓ８でＮＯの場合）、(v) 微分値ｄＹ１／ｄＸ１、ｄＹ２／ｄＸ２、およびｄＹ３／ｄＸ３が０以下である場合（Ｓ９でＮＯの場合）、または、(vi) 微分値ｄＹ５／ｄＸ５、ｄＹ６／ｄＸ６、およびｄＹ７／ｄＸ７が０より大きい場合（Ｓ１０でＮＯの場合）には、上記同様に、コントラスト値Ｘ８についても上記と同様にさらに次のコントラスト値の微分の動作を行うと共に、Ｎ＝５として判定部１２を動作させる。以上の動作をさらに繰り返すことにより、印加電圧をコントラスト値で微分した微分値が０となるコントラスト値を選択することができる。
【００５９】
上記構成および動作によれば、微分値、つまり、図４に示すように、縦軸に印加電圧、横軸にコントラスト値をとった場合のグラフの傾きが、他よりも小さくなるコントラスト値を選択することができる。すなわち、図４に示すように、微分値が０となるコントラスト値Ｘｋを選択することができ、ＬＣＤドライバ２からＬＣＤモジュール３に供給される印加電圧を最大の印加電圧とすることができる。それゆえ、微分値が０となるコントラスト値Ｘｋが最適なコントラスト値となる。
【００６０】
従って、画一的に最適なコントラスト調整を行うことができる。さらに、コントラスト調整の作業コストを減少させることができると共に、作業時間が短縮され１日あたりの生産数量をアップさせることができる。
【００６１】
さらに、上記の動作によれば、単に、０となる微分値に対応するコントラスト値を検出するだけでなく、着目している（選択しようとしている）コントラスト値の前後のコントラスト値に対応する微分値についても、その大小を判定し、着目したコントラスト値よりも小さいコントラスト値に対応した微分値が０よりも大きく（つまり単調増加しており）、着目したコントラスト値よりも大きいコントラスト値に対応した微分値が０以下となっている（つまり単調減少している）ことを条件にしている。これにより、たまたま微分値が０となる場合、つまり、単調増加→単調増加となる場合を排除して、より正確に印加電圧が最大となるコントラスト値を求めることができるという効果を奏する。
【００６２】
さらに、また、本発明では、ＬＣＤドライバ２の特性に応じて、最適なコントラスト値を上記した独自の方法にて決定しているため、一旦コントラスト値を決めて設計すれば、その後に変更する必要がなく、画一的に最適なコントラスト調整を図ることができる。
【００６３】
〔上記のコントラスト調整装置の動作のその他のバリエーションについて〕
なお、上記では、Ｎ−３≦ｎ≦Ｎ−１、および、Ｎ＋１≦ｎ≦Ｎ＋３についてコントラスト値に対応する微分値の大小を判定したが、着目したコントラスト値の前後のコントラスト値に対応する微分値の増加・減少を調べることが本質であるため、特にこれらの値に限定されず、例えば、Ｎ−４≦ｎ≦Ｎ−１、および、Ｎ＋１≦ｎ≦Ｎ＋４やＮ−５≦ｎ≦Ｎ−１、および、Ｎ＋１≦ｎ≦Ｎ＋５などでもよく、さらに言えば、着目したコントラスト値よりも小さいコントラスト値に対応した微分値が正（正または０）となっており、着目したコントラスト値よりも大きいコントラスト値に対応した微分値が負または０（負）になっていればよい。
【００６４】
また、上記では、図２に示すＳ３・Ｓ４、および図３に示すＳ９・Ｓ１０のように、着目しているコントラスト値の前後のコントラスト値に対応する微分値を求めているが、これは必ずしも必須の要件ではなく、やや精度が落ちるが、着目しているコントラスト値の微分値が０であるかのみをもって、最適コントラスト値であるかどうかを判定してもよい。
【００６５】
さらに、上記では、微分値を０としているが、必ずしも０に限定されず、例えば、０の代わりに、ある所定のしきい値を設定しておき、上記の動作において、微分値を０としている部分を、ある所定の値と置き換えてもよい。つまり、上記の微分値が、ある所定のしきい値以下であることをもって最適なコントラスト値としてもよい。
【００６６】
但し、所定のしきい値以下であることをもって最適なコントラスト値とする場合には、所定のしきい値を微分値の絶対値と比較する必要がある。つまり、演算部にて、微分値の絶対値を求める必要がある。なお、上記の一例として挙げた調整装置１の動作は、所定のしきい値が０である場合であると言うことができる。
【００６７】
さらに、上記では、まず、コントラスト値Ｘ１〜Ｘ６に対応する微分値を、Ｘ１〜Ｘ６まで求め、その後、コントラスト値Ｘ３に着目し、微分値を求めながら、所定の条件を満たさない場合には、次に、Ｘ７についてその微分値を求めるという作業を行っていた。ところが、これに限定されず、例えば、先に、全てのコントラスト値に対応する微分値を求め、その後にまとめて微分を行ってもよい。さらに、この場合には、微分値が所定のしきい値以下であるかどうか、または微分値が０となるかどうかの判定をせずに、全ての微分値の中で最も小さい微分値を求め、該微分値に対応するコントラスト値を最適コントラスト値として選択してもよい。このように、全ての微分値を求めてしまい、その後に最適なコントラスト値を選択することにより、誤って最適でないコントラスト値を選択してしまう可能性を無くすことができる。
【００６８】
また、上記では、ｄＹｎ／ｄＸｎ＞０（Ｎ−３≦ｎ≦Ｎ−１）となるかどうか、および、ｄＹｍ／ｄＸｍ≦０（Ｎ＋１≦ｍ≦Ｎ＋３）となるかどうか、を判定しているが、これに限らず、ｄＹｎ／ｄＸｎ≧０（Ｎ−３≦ｎ≦Ｎ−１）となるかどうか、および、ｄＹｍ／ｄＸｍ＜０（Ｎ＋１≦ｍ≦Ｎ＋３）となるかどうかを判定してもよい。同様に、ｄＹｎ／ｄＸｎ＞０（Ｎ−３≦ｎ≦Ｎ−１）となるかどうか、およびｄＹｍ／ｄＸｍ≦０（Ｎ＋１≦ｍ≦Ｎ＋３）となるかどうかを判定している箇所も、ｄＹｎ／ｄＸｎ≧０（Ｎ−３≦ｎ≦Ｎ−１）となるかどうか、およびｄＹｍ／ｄＸｍ＜０（Ｎ＋１≦ｍ≦Ｎ＋３）となるかどうかを判定してもよい。
【００６９】
つまり、上記の動作のように、上記選択するコントラスト値より小さいコントラスト値に基づいて供給されるそれぞれの駆動電圧（印加電圧）を対応するコントラスト値で微分した値が、正または０となり、かつ、上記選択するコントラスト値より大きいコントラスト値に基づいて供給されるそれぞれの駆動電圧（印加電圧）を対応するコントラスト値で微分した値が、負となるかどうかを判定する場合に限らず、上記選択するコントラスト値より小さいコントラスト値に基づいて供給されるそれぞれの駆動電圧（印加電圧）を対応するコントラスト値で微分した値が、正となり、かつ、上記選択するコントラスト値より大きいコントラスト値に基づいて供給されるそれぞれの駆動電圧（印加電圧）を対応するコントラスト値で微分した値が、負または０となるかどうかを判定してもよい。
【００７０】
また、上記では、コントラスト値Ｘ１から順に、つまり、小さいコントラスト値から大きいコントラスト値へ順に、ＬＣＤドライバ２に指示し、演算部１１にて微分値を求めているが、必ずしもこれに限定されず、大きいコントラスト値から小さいコントラスト値へ順に、ＬＣＤドライバ２に指示し、演算部１１にて微分値を求めてもよい。さらに言えば、先に全てのコントラスト値に対応する微分値を求めるのであれば、コントラスト値に対応する微分値を求める順は特に問わず、ランダムに求めてもよい。
【００７１】
なお、ＣＰＵ５の処理能力にもよるが、コントラスト値の入力から、印加電圧をモニタリングして、さらに、微分による最適コントラスト値の確認までに要する時間は、およそ２〜３ｍｓである。また、ノーマリブラックの場合には、印加電圧が最大となるときに透過率が最大になり、その場合、コントラスト値が最大になる。さらに、ノーマリホワイトの場合にも同様に、印加電圧が最大となるときに透過率が最小となり、その場合、コントラスト値が最小となる。
【００７２】
また、従来、コントラスト調整を作業者にて調整するケースが多く、作業者間で調整バラツキがあったり、調整作業時間が長くなることで、作業者の疲労やコスト増加が免れなかったが、本発明では、この点を克服している。
【００７３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００７４】
最後に、調整装置１の各ブロック、特に演算部１１および判定部１２は、ハードウェアロジックによって構成してもよいし、次のようにＣＰＵを用いてソフトウェアによって実現してもよい。
【００７５】
すなわち、調整装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである調整装置１の制御プログラムのプログラムコード（実行形式プログラム、中間コードプログラム、ソースプログラム）をコンピュータで読み取り可能に記録した記録媒体を、上記調整装置１に供給し、そのコンピュータ（またはＣＰＵやＭＰＵ）が記録媒体に記録されているプログラムコードを読み出し実行することによっても、達成可能である。
【００７６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００７７】
また、調整装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。
【００７８】
また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。
【００７９】
なお、本発明は、上記プログラムコードが電子的な伝送で具現化された、搬送波に埋め込まれたコンピュータデータ信号の形態でも実現され得る。
【産業上の利用可能性】
【００８０】
本発明の液晶表示ディスプレイのコントラスト調整方法および液晶表示ディスプレイのコントラスト調整装置は、液晶モジュールを搭載したモバイル情報機器端末に特に好適に利用することができる。
【図面の簡単な説明】
【００８１】
【図１】本発明の実施形態を示すものであり、コントラスト調整装置の要部構成を示すブロック図である。
【図２】図１に示すコントラスト調整装置の動作を示すフローチャートである。
【図３】図２に示す次のコントラスト値の微分ステップのサブルーチンを示すフローチャートである。
【図４】本発明の実施形態を示すものであり、印加電圧とコントラスト値との関係を示すグラフである。
【符号の説明】
【００８２】
１  コントラスト調整装置
２  ＬＣＤドライバ（液晶表示ディスプレイ駆動部）
３  ＬＣＤモジュール（液晶表示ディスプレイ）
９    記憶部（記憶手段）
１１  演算部（演算手段）
１２  判定部（判定手段）
Ｘ１、…、Ｘｎ  コントラスト値
Ｙ１、…、Ｙｎ  印加電圧（駆動電圧）
ｄＹ１／ｄＸ１、…、ｄＹｎ／ｄＸｎ  微分値（微分した値）
【図１】
2007316555.tif 000003
【図２】
2007316555.tif 000004
【図３】
2007316555.tif 000005
【図４】
2007316555.tif 000006